(57)【要約】      （修正有）【課題】スケジュール管理の細かさに応じて最適なスケジュールフォームを使用できるリフィル、及びリフィルを閉じた手帳及びノートを提供する。【解決手段】少なくとも１年間のスケジュール記入フォームを提供する複数のリフィルであって、活動の安定期間用の月間スケジュールのリフィルと、活動の活性期間用の週間スケジュールのリフィルとを混在して有する。週間スケジュールのリフィルは、時期に応じて活動に関するアドバイス１４が印刷され、日付毎に午前予定記入欄１７、午後予定記入欄１８及びフリーメモスペース欄１９を有する。【選択図】図１
0003217236.tif 000002
【実用新案登録請求の範囲】
【請求項１】
少なくとも１年間のスケジュール記入フォームを提供する複数のリフィルであって、
活動の安定期間用の月間スケジュールのリフィルと、
活動の活性期間用の週間スケジュールのリフィルとを混在して有することを特徴とするリフィル。
【請求項２】
週間スケジュールのリフィルは、時期に応じて活動に関するアドバイスが印刷されていることを特徴とする請求項１記載のリフィル。
【請求項３】
週間スケジュールのリフィルは、日付毎に午前予定記入欄、午後予定記入欄及びフリーメモスペース欄を有することを特徴とする請求項１又は２記載のリフィル。
【請求項４】
エントリー企業のスケジュールとＩＤ・パスの管理を行うエントリーマネジメントページのリフィルを有することを特徴とする請求項１乃至３のいずれか記載のリフィル。
【請求項５】
左ページに半年分のプランニングページを、右ページに残り半年分のプランニングページを有するイヤープランニングページのリフィルを有することを特徴とする請求項１乃至４のいずれか記載のリフィル。
【請求項６】
請求項１乃至５のいずれか記載のリフィルをバインダーで閉じたことを特徴とする手帳。
【請求項７】
請求項１乃至５のいずれか記載のリフィルを用紙として閉じたことを特徴とするノート。
【考案の詳細な説明】
【技術分野】
【０００１】
本考案は、リフィル、手帳及びノートに係り、特に、細かく予定を管理する必要がある期間は週間スケジュールで、その必要がない期間は月間スケジュールを用いるようにしたリフィル、手帳及びノートに関する。
【背景技術】
【０００２】
［先行技術の説明］
従来の手帳、ノートでは、月間スケジュールと週間スケジュールの両方又は片方が用意されているのが一般的であった。
また、就職活動用の手帳もあった。
【０００３】
［関連技術］
尚、関連する先行技術としては、特開２０００−１２７６５４号公報「月間予定と週間予定が一目でわかる手帳」（特許文献１）、特開２００２−０９６５８１号公報「月間週間同時スケジュール手帳」（特許文献２）、特開２０１１−０４６０４４号公報「手帳」（特許文献３）、特許第６１２３３２２号公報「就活戦略ノート」（特許文献４）、実用新案登録第３１０９５３１号公報「就職活動記録手帳」（特許文献５）がある。
【０００４】
特許文献１には、下側半分に週間のスケジュールが複数設けられてめくることができ、上半分のスケジュールが月間で、一度に両者を見ることが記載されている。
特許文献２には、月間スケジュールと週間スケジュールとを同時に見れるように、月間の欄の下に、週間の欄を設けたことが記載されている。
【０００５】
特許文献３には、月間スケジュールの冊子部分とは分離して週間スケジュールの冊子部分を、上側に月間、下側に週間を設けたことが記載されている。
特許文献４には、自己に対する分析用のページを備えることが記載されている。
特許文献５には、就職活動を記録する手帳であり、スケジュール、企業エントリー記録、面接記録等のページを有することが記載されている。
【先行技術文献】
【特許文献】
【０００６】
【特許文献１】特開２０００−１２７６５４号公報
【特許文献２】特開２００２−０９６５８１号公報
【特許文献３】特開２０１１−０４６０４４号公報
【特許文献４】特許第６１２３３２２号公報
【特許文献５】実用新案登録第３１０９５３１号公報
【考案の概要】
【考案が解決しようとする課題】
【０００７】
しかしながら、従来の手帳、ノートでは、単純に月間スケジュールと週間スケジュールが準備されているに過ぎず、就職活動等に合わせて細かくスケジュールを管理する必要がある期間とそうでない期間とを分けて、就職活動等に最適な月間又は週間のスケジュールを提供できるものではなく、利用者の利便性を向上させることができないという問題点があった。
【０００８】
例えば、月間スケジュールのみを用いたスケジュール管理では、細かくスケジュールを管理する期間に、予定を書き込むスペースが足りなくなり、週間スケジュールのみを用いたスケジュール管理では、細かくスケジュールを管理する必要がない期間に、書き込む予定が少なく手帳が厚くかさばるものとなっていた。
【０００９】
また、期間に応じて月間スケジュールと週間スケジュールを利用者が使い分けることも可能であるが、月間と週間の両方のスケジュールを準備する必要があり、費用が高くなって、利用しない部分のスケジュールが無駄になっていた。
【００１０】
尚、特許文献１〜５には、月間スケジュールと週間スケジュールが両方提供されるものであって、スケジュール管理の細かさに応じて最適なスケジュールフォームを提供するものにはなっていない。
【００１１】
本考案は上記実状に鑑みて為されたもので、スケジュール管理の細かさに応じて最適なスケジュールフォームを使用できるリフィル、手帳及びノートを提供することを目的とする。
【課題を解決するための手段】
【００１２】
上記従来例の問題点を解決するための本考案は、少なくとも１年間のスケジュール記入フォームを提供する複数のリフィルであって、活動の安定期間用の月間スケジュールのリフィルと、活動の活性期間用の週間スケジュールのリフィルとを混在して有することを特徴とする。
【００１３】
本考案は、上記リフィルにおいて、週間スケジュールのリフィルが、時期に応じて活動に関するアドバイスが印刷されていることを特徴とする。
【００１４】
本考案は、上記リフィルにおいて、週間スケジュールのリフィルが、日付毎に午前予定記入欄、午後予定記入欄及びフリーメモスペース欄を有することを特徴とする。
【００１５】
本考案は、上記リフィルにおいて、エントリー企業のスケジュールとＩＤ・パスの管理を行うエントリーマネジメントページのリフィルを有することを特徴とする。
【００１６】
本考案は、上記リフィルにおいて、左ページに半年分のプランニングページを、右ページに残り半年分のプランニングページを有するイヤープランニングページのリフィルを有することを特徴とする。
【００１７】
本考案は、手帳において、上記リフィルをバインダーで閉じたことを特徴とする。
【００１８】
本考案は、ノートにおいて、上記リフィルを用紙として閉じたことを特徴とする。
【考案の効果】
【００１９】
本考案によれば、少なくとも１年間のスケジュール記入フォームを提供する複数のリフィルであって、活動の安定期間用の月間スケジュールのリフィルと、活動の活性期間用の週間スケジュールのリフィルとを混在して有するリフィルとしているので、活動の活性期間で週間スケジュールのリフィルを使用し、活動の安定期間で月間スケジュールのリフィルで使用でき、活動における手帳の使い勝手を向上させることができる効果がある。
【図面の簡単な説明】
【００２０】
【図１】本リフィルのウィークリー左ページを示す図である。
【図２】本リフィルのウィークリー右ページを示す図である。
【図３】本リフィルのマンスリー左ページを示す図である。
【図４】本リフィルのマンスリー右ページを示す図である。
【図５】本リフィルのエントリーマネジメントページを示す図である。
【図６】本リフィルのイヤープランニング左ページを示す図である。
【図７】本リフィルのイヤープランニング右ページを示す図である。
【図８】本リフィルの時間割表を示す図である。
【考案を実施するための形態】
【００２１】
本考案の実施の形態について図面を参照しながら説明する。
［実施の形態の概要］
本考案の実施の形態に係るリフィル（本リフィル）は、少なくとも１年間のスケジュール記入フォームを提供するものであり、就職活動がそれほど活性化していないシーズン（安定期間）は、マンスリータイプのリフィルを、就職活動が活性化してスケジュール管理を細かく行う必要があるシーズン（活性期間）は、ウィークリータイプのリフィルを、就職活動の学生に提供するもので、就職活動における手帳の使い勝手を向上させることができるものである。
【００２２】
また、本リフィルでは、エントリー管理を行うエントリーマネジメントのリフィル、年間計画のイヤープランニングの見開きのリフィルを提供することで、就職活動における手帳の使い勝手が向上するものである。
【００２３】
本リフィルの具体的な構成を説明する前に、就職活動（就活）の内容と本リフィルの関係について説明する。
まず、就活において、「インターンシップ」「エントリー」「企業説明会」「ＥＳ（Entry Sheet）・試験・面接」「内々定」「内定式」等のイベントがあり、学校行事としては「定期考査」「春休み」「夏休み」「院試（大学院入学試験）」等のイベントがある。
【００２４】
おおよそ、インターンシップは１０月から翌年６月までが期間であり、エントリーと企業説明会は３月から５月までが期間であり、ＥＳは４月５月が期間であり、試験・面接と内々定は６月から９月までが期間であり、内定式が１０月となっている。
また、学校行事の定期考査は１月と７月にあり、院試は９月となっている。
【００２５】
このように、１０月から翌年の２月までは、就活の安定期間であるため、スケジュール管理する項目が少ない。そこで、その安定期間には、マンスリータイプ（月間スケジュール）のフォームのリフィルを提供する。
また、３月から９月までは、就活の活性期間であるため、スケジュール管理する項目が多い。但し、９月中頃で収束してくるので、３月から８月の期間に、ウィークリータイプ（週間スケジュール）のフォームのリフィルを提供する。
つまり、本リフィルは、１年間でマンスリータイプとウィークリータイプのフォーマットが混在したリフィルである。
【００２６】
［本リフィルのウィークリーページ：図１．２］
次に、本リフィルのウィークリータイプのページについて図１，２を参照しながら説明する。図１は、本リフィルのウィークリー左ページを示す図であり、図２は、本リフィルのウィークリー右ページを示す図である。
本リフィルのウィークリー左ページは、図１に示すように、左上に「２ Feb.」の月表記１１が印刷され、「2019」の年表記１２も印刷されている。当該リフィルが月をまたぐ場合には、次の月表記１３も印刷されている。
尚、３月から就活の活性期間に突入するので、３月１日が含まれるリフィルからウィークリーのページとなる。
【００２７】
そして、月表記１１の下に、就活のアドバイス、メッセージ（アドバイス等）１４が印刷され、その下のスペース１５には、１週間毎の目標を記入できるようになっている。
アドバイス等１４は、週替わりで、就活を経験した先輩達の言葉が時期に応じて編集され、印刷される。
【００２８】
本リフィルのウィークリー左ページには、上段に月曜、下段に木曜、金曜の記入欄が設けられ、各記入欄は、日付・曜日記入欄１６と、午前予定記入欄１７と、午後予定記入欄１８と、フリーメモスペース欄１９とを備えている。
午前予定記入欄１７と午後予定記入欄１８には、各々６行記入できるようになっているので、１日に複数の予定があっても余裕をもって書き込むことができる。
午前の予定と午後の予定を分けて記入できるため、更に使い勝手が向上するものである。
尚、本リフィルのウィークリー左ページでは、図１の右側に手帳のバインダーリング用の穴を備えている。
【００２９】
本リフィルのウィークリー右ページは、上段に火曜、水曜、下段に土曜、日曜の記入欄が設けられ、各記入欄は、日付・曜日記入欄１６と、午前予定記入欄１７と、午後予定記入欄１８と、フリーメモスペース欄１９とを備えている。
尚、本リフィルのウィークリー右ページでは、図２の左側に手帳のバインダーリング用の穴を備えている。
このウィークリーページが、３月１日を含む週から８月３１日を含む週まで続き、活性期間の学生の就活をサポートするものである。
【００３０】
［本リフィルのマンスリーページ：図３，４］
次に、本リフィルのマンスリーページについて図３，４を参照しながら説明する。図３は、本リフィルのマンスリー左ページを示す図であり、図４は、本リフィルのマンスリー右ページを示す図である。
本リフィルのマンスリー左ページは、図３に示すように、左上に「１０ Oct.」の月表記２１と年表記２２が印刷されている。また、月表記２１の下側には、メモスペースとなっている。
【００３１】
また、月曜、火曜、水曜の記入欄が設けられ、各記入欄には、曜日記入欄２３と、各日の午前予定記入欄２４と、午後予定記入欄２５が設けられ、午前予定記入欄２４の左上には日付表記２６が印刷されている。
記入欄は、曜日毎に６段（６日分）となっており、最終段には、翌月の初めの予定を記入してもよいが、任意なメモスペースとして利用してもよい。
尚、本リフィルのマンスリー左ページでは、図３の右側に手帳のバインダーリング用の穴を備えている。
【００３２】
本リフィルのマンスリー右ページは、図４に示すように、木曜、金曜、土曜、日曜の記入欄が設けられ、各記入欄には、曜日記入欄２３と、各日の午前予定記入欄２４と、午後予定記入欄２５が設けられ、午前予定記入欄２４の左上には日付表記２６が印刷されている。
記入欄は、曜日毎に５段（５日分）となっており、最終段には、翌月の初めの予定を記入してもよいが、任意なメモスペースとして利用してもよい。
【００３３】
また、最終段の右下には、翌月のミニカレンダー２７が印刷され、翌月の日付を容易に認識できるようになっている。
尚、本リフィルのマンスリー右ページでは、図４の左側に手帳のバインダーリング用の穴を備えている。
【００３４】
このマンスリータイプが、１０月から２月と９月から１月まで続き、就活の安定期間に応じたスケジュール管理のフォームを提供するものである。
つまり、就活本番の年度の前年１０月から就活本番の年度の２月まで、就活本番の年度の９月から就活本番の年度の翌年１月までがマンスリーページである。
【００３５】
［本リフィルのエントリーマネジメントページ：図５］
次に、本リフィルのエントリーマネジメントページについて図５を参照しながら説明する。図５は、本リフィルのエントリーマネジメントページを示す図である。
本リフィルのエントリーマネジメントページは、図５に示すように、エントリー企業のスケジュールとＩＤ・パスの管理を行うもので、Ｎｏ．、企業名、ＩＤ、ＥＳ〆切、提出方法、筆記試験日時、面接１の日時、面接２の日時、Ｍｅｍｏを一覧で記入して管理できるようになっている。
【００３６】
本リフィルのエントリーマネジメントページは、図５の左側にバインダーのリングに留める穴が形成されており、横方向の長さが、これまで説明したリフィル（通常のリフィル）の約３倍の大きさである。
従って、本リフィルのエントリーマネジメントページは、折り畳んで手帳に収納するが、広げるとエントリーマネジメントを一覧できるものである。
【００３７】
［本リフィルのイヤープランニングページ：図６，７］
次に、本リフィルのイヤープランニングページについて図６，７を参照しながら説明する。図６は、本リフィルのイヤープランニング左ページを示す図であり、図７は、本リフィルのイヤープランニング右ページを示す図である。
本リフィルのイヤープランニング左ページは、図６に示すように、１〜６月の半年のスケジュールが一覧で印刷され、手帳のバインダーリングが留める穴が図６の右に形成されている。
本リフィルのイヤープランニング左ページは、横方向の長さが、通常のリフィルの約３倍の大きさであり、折り畳んで手帳に収納する。
【００３８】
本リフィルのイヤープランニング右ページは、図７に示すように、７〜１２月の半年のスケジュールが一覧で印刷され、手帳のバインダーリングが留める穴が図７の左に形成されている。
本リフィルのイヤープランニング右ページも、横方向の長さが、通常のリフィルの２倍の大きさであり、折り畳んで手帳に収納する。
本リフィルのイヤープランニング左ページ、右ページのリングの穴の位置から、両者を手帳から引き出すと、１〜６月を左に、７〜１２月を右に展開して１年分を一覧できるものである。
【００３９】
［本リフィルの時間割表：図８］
次に、本リフィルの時間割表について図８を参照しながら説明する。図８は、本リフィルの時間割表を示す図である。
本リフィルの時間割表は、図８に示すように、１ページのリフィルに３日分で６時間の授業を書き込みできるようになっている。曜日は手書きとしている。
尚、左ページであれば、右側にリング用の穴が形成され、右ページであれば、左側にリング用の穴が形成されている。
【００４０】
［応用例］
図１〜８の本リフィルは、まとめて使用するのが就活においては有効であるので、全体をセットとして販売するのが望ましい。バラ売りでも構わないが、図１〜４のリフィルは一緒でないと意味がないので、図１〜４のリフィルはセットでの販売を行う。
また、全体をセットとして、システム手帳に収納して販売してもよい。
更に、システム手帳に綴じるものではなく、予め綴じられたノートタイプで販売するようにしてもよい。
【００４１】
［実施の形態の効果］
本リフィルによれば、就活の安定期間は、マンスリータイプのリフィルを、就活の活性期間は、スケジュール管理を細かく行う必要があるためウィークリータイプのリフィルを、混在させて就活の学生に提供するものとなっているので、就活における手帳の使い勝手を向上させることができる効果がある。
【００４２】
具体的には、本リフィルでは、月間スケジュールのリフィルと週間スケジュールのリフィルを別々に組み合わせて選択的に利用する場合に比べて、コストを安くでき、使用しないリフィルがないため無駄になることがなく、更に最適に組み合わされているので、選択して組み合わせる手間が掛からず、利便性が高いものである。
【００４３】
また、本リフィルによれば、エントリー管理を行うエントリーマネジメントのリフィル、年間計画のイヤープランニングの見開きのリフィルを提供するものとなっているので、就活における手帳の使い勝手を更に向上させることができる効果がある。
【産業上の利用可能性】
【００４４】
本考案は、スケジュール管理の細かさに応じて最適なスケジュールフォームを使用できるリフィル、手帳及びノートに適している。
【符号の説明】
【００４５】
１１，２１…月表記、  １２，２２…年表記、  １３…次の月表記、  １４…アドバイス等、  １５…スペース、  １６…日付・曜日記入欄、  １７…午前予定記入欄、  １８…午後予定記入欄、  １９…フリーメモスペース欄、  ２３…曜日記入欄、  ２４…午前予定記入欄、  ２５…午後予定記入欄、  ２６…日付表記、  ２７…ミニカレンダー
【図１】
0003217236.tif 000003
【図２】
0003217236.tif 000004
【図３】
0003217236.tif 000005
【図４】
0003217236.tif 000006
【図５】
0003217236.tif 000007
【図６】
0003217236.tif 000008
【図７】
0003217236.tif 000009
【図８】
0003217236.tif 000010